(57)【要約】【課題】保守作業員が昇降路ピット内に入ることなく、かごを最寄り階まで移動させることができ、乗客救出までの時間を短縮するエレベータの救出装置を得る。【解決手段】エレベータの救出装置は、エレベータのかごを緊急時に手動で移動するエレベータの救出装置において、ガバナーロープまたはコンペンロープがストッパーが挿入されているとき隙間を通過するとともに上記ストッパーが抜かれたとき上記ガバナーロープまたはコンペンロープを掴持するロープキャッチャーと、上記ロープキャッチャーに一端が連結されるとともに途中が乗場付近に保持される引きワイヤーと、上記引きワイヤーの他端に連結されるワイヤー環と、を備え、上記ワイヤー環を引っ張ると上記かごが移動する。【選択図】図１
2011046456.tif 000002
【特許請求の範囲】
【請求項１】
エレベータのかごを緊急時に手動で移動するエレベータの救出装置において、
ガバナーロープまたはコンペンロープがストッパーが挿入されているとき隙間を通過するとともに上記ストッパーが抜かれたとき上記ガバナーロープまたはコンペンロープを掴持するロープキャッチャーと、
上記ロープキャッチャーに一端が連結されるとともに途中が乗場付近に保持される引きワイヤーと、
上記引きワイヤーの他端に連結されるワイヤー環と、
を備え、
上記ワイヤー環を引っ張ると上記かごが移動することを特徴とするエレベータの救出装置。
【請求項２】
上記ワイヤー環を引っ掛けるワイヤー引っ掛け金具を備えることを特徴とする請求項１に記載のエレベータの救出装置。
【請求項３】
上記ワイヤーの返し車を備えることを特徴とする請求項１または２に記載のエレベータの救出装置。
【請求項４】
上記ワイヤーを巻き取る巻取り機構を上記乗場に備えることを特徴とする請求項１乃至３のいずれかに記載のエレベータの救出装置。
【請求項５】
モータを具備するとともに上記ワイヤーの巻取りドラム回転する減速機を備えることを特徴とする請求項４に記載のエレベータの救出装置。
【発明の詳細な説明】
【技術分野】
【０００１】
この発明は、エレベータのかごが階床間に停止したとき乗客を救出するエレベータの救出装置に関するものである。
【背景技術】
【０００２】
従来、カゴとオモリの重量が拮抗している状態で、故障、停電などによりカゴが階床間で停止し、乗客の閉じ込めが発生した場合は、救出用のオモリを巻き上げロープ、コンペンロープ、ガバナーロープなどに固定してカゴとオモリの重量バランスを崩した上で、巻上機のブレーキを開放することにより、カゴを最寄り階まで移動させて乗客を救出している。
【０００３】
また、ロープを把持する金具を主ロープに取り付けて乗場から引っ張ることにより、カゴを移動させる構成が示されており、この方法によれば救出オモリを使用することなく乗客を救出することができる（例えば、特許文献１参照）。
【先行技術文献】
【特許文献】
【０００４】
【特許文献１】特開２００３−２０１０７４号公報
【発明の概要】
【発明が解決しようとする課題】
【０００５】
しかし、前述のどちらの方法でも保守作業員が昇降路ピット内に入って作業する必要があり、乗客の救出までに時間がかかるという問題がある。
【０００６】
この発明は、前記のような課題を解決するためになされたものであり、保守作業員が昇降路ピット内に入ることなく、かごを最寄り階まで移動させることができ、乗客救出までの時間を短縮するエレベータの救出装置を得ることを目的とする。
【課題を解決するための手段】
【０００７】
この発明に係るエレベータの救出装置は、エレベータのかごを緊急時に手動で移動するエレベータの救出装置において、ガバナーロープまたはコンペンロープがストッパーが挿入されているとき隙間を通過するとともに上記ストッパーが抜かれたとき上記ガバナーロープまたはコンペンロープを掴持するロープキャッチャーと、上記ロープキャッチャーに一端が連結されるとともに途中が乗場付近に保持される引きワイヤーと、上記引きワイヤーの他端に連結されるワイヤー環と、を備え、上記ワイヤー環を引っ張ると上記かごが移動する。
【発明の効果】
【０００８】
この発明に係るエレベータの救出装置は、乗場からワイヤーを引っ張ることによりかごを昇降させてかごを最寄り階の乗場に停止するので、救出者が昇降路内に入ることなく、乗客救出までの時間を短縮することができるという効果を奏する。
【図面の簡単な説明】
【０００９】
【図１】この発明の実施の形態１に係るエレベータの救出装置を配備したエレベータの全体図である。
【図２】図１のガバナーロープ張り車周辺の拡大図である。
【図３】ロープキャッチャーの詳細図である。
【図４】図１のＡ−Ａからの矢視図である。
【図５】この発明の実施の形態２に係るエレベータの救出装置を配備したエレベータの全体図である。
【図６】図５のストッパー固定金具周辺の拡大図である。
【図７】図５の返し車周辺の拡大図である。
【図８】この発明の実施の形態３に係る巻取り機構の斜視図である。
【発明を実施するための形態】
【００１０】
以下、本発明のエレベータの救出装置の好適な実施の形態につき図面を用いて説明する。
実施の形態１．
図１は、この発明の実施の形態１に係るエレベータの救出装置を配備したエレベータの全体図である。図２は、図１のガバナーロープ張り車周辺の拡大図である。図３は、ロープキャッチャーの詳細図である。図４は、図１のＡ−Ａからの矢視図である。
この発明の実施の形態１に係るエレベータは、昇降路２０内を昇降するかご２１、かご２１と重さが釣合うおもり２２、かご２１とおもり２２が両端に固定される主ロープ２３、主ロープ２３を走行する巻上げ機２４、各階床の乗場の出入り口２５に設けられた乗場ドア２６、かご２１に１箇所で固定されるとともにかご２１の動きと同期して走行するガバナーロープ２７、および、ガバナーロープ２７に引張り力を加えるガバナーロープ張り車２８を備える。
【００１１】
この発明の実施の形態１に係るエレベータの救出装置は、ガバナーロープ張り車２８の近傍に配備されるロープキャッチャー６、ロープキャッチャー６に一端が固定されるワイヤー７、および、ワイヤー７の他端に接続されるワイヤー環１を備える。
このロープキャッチャー６は、１つの蝶番で回動可能に支持される２個の把握手４ａ、４ｂ、把握手４ａ、４ｂの間に形成される隙間を狭くする方向に把握手４ａ、４ｂに力を加えるバネ１２、通常は把握手４ａ、４ｂの間の隙間がガバナーロープ２７の径より広くなるように把握手４ａ、４ｂの間に挿入されているストッパー５、および、ワイヤー７の一端を取付けるワイヤー取付け部１１を備える。
把握手４ａ、４ｂの先端部には滑り止めが施されている。
【００１２】
ストッパー５は、ガバナーロープ張り車２８のガバナーロープ２７の外れを防止する張り車カバー２に固定されている。
ワイヤー７を上方に引っ張り上げると、把握手４ａ、４ｂが上方に引き上げられ、ストッパー５が把握手４ａ、４ｂとの間から抜ける。すると、バネ１２により把握手４ａ、４ｂの間の隙間が狭まり、ガバナーロープ２７を把持する。
【００１３】
ワイヤー７は２階の乗場の敷居２９に開けられた穴１３を通されて敷居２９の上まで引き出されている。この穴１３の中にはワイヤー７が戻らないように保持する戻り防止爪３が設けられている。敷居２９の上まで引き出されたワイヤー７は、ワイヤー仮止めバネ１４により保持されている。
ワイヤー７の他端にはワイヤー固定金具１５を用いてワイヤー環１が接続される。このワイヤー環１は、乗場ドア２６と昇降路２０の壁との間に置かれる。
【００１４】
次に、この発明の実施の形態１に係るエレベータの救出装置による救出動作を説明する。
かご２１とおもり２２の重量が釣合った状態でかご２１が階床間で停止し、乗客の閉じ込めが発生したとする。
この事態を聞いて救出する人（以下、救出者と称す）は、乗場の乗場ドア２６と昇降路２０の壁の間にワイヤー引っ掛け具１６を挿入してワイヤー引っ掛け具１６の先端の折り曲げ部にワイヤー環１を引っ掛ける。それからワイヤー引っ掛け具１６を引いてワイヤー環１を乗場に引き出す。このときワイヤー７はワイヤー仮止めバネ１４から外れる。
【００１５】
次に、ワイヤー環１を引張るとロープキャッチャー６が引き上げられ、把握手４ａ、４ｂの間からストッパー５が抜ける。すると、把握手４ａ、４ｂの隙間が狭くなり、ガバナーロープ２７を掴む。
ここで巻上げ機２４のブレーキを開放する。それからワイヤー環１をさらに引き出すとガバナーロープ２７に移動に伴いかご２１が上昇し、かご２１を２階の乗場の位置で停止する。
次に、かご２１のドアを開いて乗客を救出する。
【００１６】
この発明の実施の形態１に係るエレベータの救出装置では、２階の乗場からワイヤー７を引っ張り上げてかご２１を２階の乗場に停止するので、救出者が昇降路２０内に入ることなく、１階の高さの分だけかご２１を移動させることができる。
また、救出者が昇降路２０内に入らないので、昇降路２０内に人が入りための確認などに要する時間が掛からず、短時間で乗客を救出することができる。
また、ワイヤー引っ掛け具１４を用いてワイヤー環１を引き出すので、ワイヤー環１を乗場ドア２６と昇降路２０の壁の間に隠しておけて悪さをされない。
【００１７】
なお、上述の停止した階床間の上の階床にかご２１を移動させて乗客を救出したが、かご２１を停止した階床間の下の階床にかご２１を停止して乗客を救出しても良い。
また、上述の実施の形態１ではガバナーロープ２７を把持してかご２１を移動するが、図示しないコンペンロープを把持してかご２１を移動しても良い。
【００１８】
実施の形態２．
図５は、この発明の実施の形態２に係るエレベータの救出装置を配備したエレベータの全体図である。図６は、図５のストッパー固定金具周辺の拡大図である。図７は、図５の返し車周辺の拡大図である。
この発明の実施の形態２に係るエレベータの救出装置は、この発明の実施の形態１に係るエレベータの救出装置とロープキャッチャー６の配置位置が異なり、それに関連して返し車９とストッパー固定金具１０を追加し、それ以外は同様であるので、同様な部分に同じ符号を付記し説明は省略する。
【００１９】
この発明の実施の形態２に係るロープキャッチャー６の把握手４ａ、４ｂの間に挿入されるストッパー５は、レール３０に固定されるストッパー固定金具１０に下向きに突き出すように固定されている。把握手４ａ、４ｂは、ストッパー固定金具１０の下側にストッパー５が把握手４ａ、４ｂの間に挿入するように配置される。ワイヤー７は下方に引き出されている。
【００２０】
返し車９は、レール３０に固定された返し車固定金具１７に固定されている。そして、ロープキャッチャー６から引き出されたワイヤー７は、返し車９に半回分巻かれて方向転換し、その後１階の敷居２９の穴１３を通って１階の乗場まで引き出される。
【００２１】
次に、この発明の実施の形態２に係るエレベータの救出装置による救出動作を説明する。
かご２１とおもり２２の重量が釣合った状態でかご２１が階床間で停止し、乗客の閉じ込めが発生したとする。
救出者は、乗場の乗場ドア２６と昇降路２０の壁の間にワイヤー引っ掛け具１６を挿入してワイヤー引っ掛け具１６の先端の折り曲げ部にワイヤー環１を引っ掛ける。それからワイヤー引っ掛け具１６を引いてワイヤー環１を乗場に引き出す。このときワイヤー７はワイヤー仮止めバネ１４から外れる。
【００２２】
次に、ワイヤー環１を引っ張るとワイヤー７が張られてロープキャッチャー６が引き下げられ、把握手４ａ、４ｂの間からストッパー５が抜ける。すると、把握手４ａ、４ｂの隙間が狭くなり、ガバナーロープ２７を掴む。
ここで巻上げ機２４のブレーキを開放する。それからワイヤー環１を引き出すとガバナーロープ２７に移動に伴いかご２１が下降し、かご２１を乗場の位置で停止する。
次に、かご２１のドアを開いて乗客を救出する。
【００２３】
この発明の実施の形態２に係るエレベータの救出装置は、この発明の実施の形態１に係るエレベータの救出装置と同様な効果を奏するとともに、ロープキャッチャー６がピットより上部に固定されていて返し車９で反転させ引けるのでかご２１の救出ストロークも十分得ることができるという効果を奏する。
【００２４】
実施の形態３．
図８は、この発明の実施の形態３に係る巻取り機構の斜視図である。
この発明の実施の形態３に係るエレベータの救出装置は、この発明の実施の形態１に係るエレベータの救出装置にワイヤー７を巻き取る巻取り機構を追加したことが異なり、それ以外は同様であるので、同様な部分に同じ符号を付記し説明は省略する。
この発明の実施の形態３に係る巻取り機構は、ワイヤー７を巻き付ける巻取りドラム３１と、巻取りドラムの巻き戻しを防止する巻取り戻り防止ピン３２およびピニオン歯車３３と、巻取りドラム３１の一端面に挿入して巻取りドラム３１を回転する巻取りハンドル３４と、巻取りドラム３１の一端が露出しているとともに巻取りハンドル３４を収納する鍵付収納箱３５を備える。
【００２５】
次に、この発明の実施の形態３に係る巻取り機構でワイヤー７を巻き取る手順を説明する。
かご２１とおもり２２の重量が釣合った状態でかご２１が階床間で停止し、乗客の閉じ込めが発生したとする。
救出者は、鍵付収納箱３５の鍵を解錠して巻取りハンドル３４を取り出し、巻取りハンドル３４の係合部を巻取りドラム３１の一端面の被係合部に挿入する。次に、巻取りハンドル３４で巻取りドラム３１を回転してワイヤー７を巻き取る。なお、ワイヤー７の一端は巻取りドラム３１に固定されている。
【００２６】
この発明の実施の形態３に係るエレベータの救出装置は、この発明の実施の形態１に係るエレベータの救出装置と同様な効果を奏するとともに、巻取り機構を具備することによりワイヤー７を小さな力の人でも十分に引っ張ることができるという効果を奏する。
なお、巻取りドラム３１に図示しないモータを備えた減速機を連結しておいても良い。このようにすることによりワイヤー７の引っ張りを確実に行うことができる。
【符号の説明】
【００２７】
１  ワイヤー環、２  張り車カバー、３  戻り防止爪、４ａ、４ｂ  把握手、５  ストッパー、６  ロープキャッチャー、７  ワイヤー、９  返し車、１０  ストッパー固定金具、１１  ワイヤー取付け部、１２  バネ、１３  穴、１４  ワイヤー仮止めバネ、１５  ワイヤー固定金具、１６  ワイヤー引っ掛け具、１７  返し車固定金具、２０  昇降路、２１  かご、２２  おもり、２３  主ロープ、２４  巻上げ機、２５  出入口、２６  乗場ドア、２７  ガバナーロープ、２８  ガバナーロープ張り車、２９  敷居、３０  レール、３１  巻取りドラム、３２  巻き戻し防止ピン、３３  ピニオン歯車、３４  巻取りハンドル、３５  鍵付収納箱。
【図１】
2011046456.tif 000003
【図２】
2011046456.tif 000004
【図３】
2011046456.tif 000005
【図４】
2011046456.tif 000006
【図５】
2011046456.tif 000007
【図６】
2011046456.tif 000008
【図７】
2011046456.tif 000009
【図８】
2011046456.tif 000010